(57)【要約】【課題】携帯電話同士を接続した状態から、携帯電話同士を接続する通信回線を利用せずに、電子会議端末を特定するＩＰアドレスを取得する。【解決手段】  第一の電子会議端末２０は、第一の携帯電話４０から、第一の携帯電話４０の電話番号ａ１と、第一の携帯電話４０と通話中だった第二の携帯電話５０の電話番号ｂ１を取得する。第一の電子会議端末２０は、取得要求をディレクトリ管理部６２に出して、電話番号ｂ１にに対応する第二の電子会議端末３０の識別情報であるＩＰアドレスを取得する。第一の電子会議端末２０は、取得したＩＰアドレスによって、ＩＰネットワーク網９２を介して第二の電子会議端末３０に接続する。このように、ユーザＡとユーザＢが第一の携帯電話４０と第二の携帯電話５０を用いて通話している状態から、第一の電子会議端末２０と第二の電子会議端末３０が接続されるように接続が切り替えられる。【選択図】図１
2006311011.tif 000002
【特許請求の範囲】
【請求項１】
第一の情報通信端末と、
第一の情報通信端末と通信網を介して情報交換可能な第二の情報通信端末と、
第一の情報通信端末と情報交換可能な第一の移動体通信端末と、
第二の情報通信端末と情報交換可能であって、第一の移動体通信端末に、自己の移動体通信端末を識別する移動体通信端末識別情報が保持される第二の移動体通信端末と、
各移動体通信端末の移動体通信端末識別情報に、各情報通信端末を識別する情報通信端末識別情報を、対応付けて記憶する端末識別情報記憶手段と、
要求に応じて、端末識別情報記憶手段を管理する端末識別情報管理手段と、
を備える電子会議システムに含まれる第一の情報通信端末を、
第一の移動体通信端末から、第二の移動体通信端末の移動体通信端末識別情報を取得する、第一の接続先移動体通信端末識別情報取得手段、
取得要求を端末識別情報管理手段に出して、第二の移動体通信端末の移動体通信端末識別情報に対応した第二の情報通信端末の情報通信端末識別情報を取得する第一の接続先情報通信端末識別情報管理手段、
取得した第二の情報通信端末の情報通信端末識別情報によって指定して、第二の情報通信端末に通信網を介して接続する情報通信端末接続手段、
として機能させる接続切替プログラム。
【請求項２】
請求項１記載のプログラムであって、
第二の情報通信端末を、
第二の移動体通信端末から、第一の移動体通信端末の移動体通信端末識別情報を取得する、第二の接続先移動体通信端末識別情報取得手段、
登録要求を端末識別情報管理手段に出して、第二の移動体通信端末の移動体通信端末識別情報に対応して第二の情報通信端末の情報通信端末識別情報を登録させる第二の接続先情報通信端末識別情報管理手段、
として機能させる接続切替プログラム。
【請求項３】
請求項２記載のプログラムであって、
第一の接続先情報通信端末識別情報管理手段は、
登録要求を端末識別情報管理手段に出して、第一の移動体通信端末の移動体通信端末識別情報に対応して第一の情報通信端末の情報通信端末識別情報を登録させ、
第二の接続先情報通信端末識別情報管理手段は、
登録要求を端末識別情報管理手段に出して、第二の移動体通信端末の移動体通信端末識別情報に対応して第二の情報通信端末の情報通信端末識別情報を登録させ、
取得要求を端末識別情報管理手段に出して、第一の接続先情報通信端末識別情報管理手段によって登録された、第一の移動体通信端末の移動体通信端末識別情報に対応した第一の情報通信端末の情報通信端末識別情報を取得し、
端末識別情報管理手段より取得した第一の情報通信端末の情報通信端末識別情報を指定して、第一の情報通信端末に通信網を介して接続する、
ことを特徴とする接続切替プログラム。
【請求項４】
第一の情報通信端末と、
第一の情報通信端末と通信網を介して情報交換可能な第二の情報通信端末と、
第一の情報通信端末と情報交換可能な第一の移動体通信端末と、
第二の情報通信端末と情報交換可能であって、第一の移動体通信端末に、自己の移動体通信端末を識別する移動体通信端末識別情報が保持される第二の移動体通信端末と、
電子会議の構成メンバーが用いる通信端末を接続させる多地点接続装置と、
各移動体通信端末の移動体通信端末識別情報に、接続に用いられる多地点接続装置を識別する多地点接続端末識別情報を、対応付けて記憶する多地点接続情報記憶手段と、
要求に応じて、多地点接続情報記憶手段を管理する多地点接続情報管理手段と、
を備える電子会議システムに含まれる
第一の情報通信端末を、
第一の移動体通信端末から、第一の移動体通信端末および第二の移動体通信端末の移動体通信端末識別情報を取得する、第一の接続先移動体通信端末識別情報取得手段、
登録要求を多地点接続情報管理手段に出して、多地点接続端末識別情報に対応して、第一の移動体通信端末の移動体通信端末識別情報および第一の情報通信端末の情報通信端末識別情報と、第二の移動体通信端末の移動体通信端末識別情報とを、登録させる第一の多地点接続管理手段、
として機能させ、
第二の情報通信端末を、
第二の移動体通信端末から、第二の移動体通信端末および第一の移動体通信端末の移動体通信端末識別情報を取得する、第二の接続先移動体通信端末識別情報取得手段、
更新要求を多地点接続情報管理手段に出して、第二の移動体通信端末の移動体通信端末識別情報に対応する情報通信端末識別情報を、第二の情報通信端末の情報通信端末識別情報に更新させる第二の多地点接続管理手段、
として機能させ、
多地点接続装置を、
取得要求を多地点接続情報管理手段に出して、多地点接続情報記憶手段から多地点接続端末識別情報に対応する、第一の情報通信端末の情報通信端末識別情報と第二の情報通信端末の情報通信端末識別情報とを取得する接続対象取得手段、
多地点接続情報管理手段から取得した第一の情報通信端末の情報通信端末識別情報によって特定される第一の情報通信端末と、第二の情報通信端末の情報通信端末識別情報によって特定される第二の情報通信端末とを接続させる情報通信端末接続手段、
として機能させる接続切替プログラム。
【請求項５】
第一の情報通信端末と、
第一の情報通信端末と通信網を介して接続される第二の情報通信端末と、
第一の情報通信端末と情報交換可能な第一の移動体通信端末と、
第二の情報通信端末と情報交換可能な第二の移動体通信端末と、
第一の情報通信端末と通信網を介して接続され、各情報通信端末を識別する情報通信端末識別情報に、第一の情報通信端末と情報交換可能な第一の移動体通信端末の接続先を特定する端末接続情報を、対応付けて記憶する端末接続情報記憶手段と、
要求に応じて、端末接続情報記憶手段を管理する端末接続情報管理手段と、
を備える電子会議システムに含まれる第一の情報通信端末を、
取得要求を接続先情報管理手段に出して、第二の情報通信端末の情報通信端末識別情報に対応した端末接続情報を取得する接続先情報取得手段、
接続先情報管理手段より取得した端末接続情報を、第一の移動体通信端末に発呼させるために第一の移動体通信端末に送信する、端末接続情報送信手段、
として機能させる接続切替プログラム。
【請求項６】
請求項５記載の接続切替プログラムであって、
端末接続情報は、
第二の移動体通信端末に接続するための情報、または第二の情報通信端末に接続するための情報である
ことを特徴とする接続切替プログラム。
【請求項７】
多地点接続装置と、
多地点接続装置に通信網を介して接続される第一の情報通信端末と、
多地点接続装置を介して第一の情報通信端末に接続される第二の情報通信端末と、
第一の情報通信端末と情報交換可能な第一の移動体通信端末と、
第二の情報通信端末と情報交換可能な第二の移動体通信端末と、
多地点接続装置を識別する情報である多地点接続端末識別情報に、第一の情報通信端末と情報交換可能な第一の移動体通信端末の接続先を特定する端末接続情報を、対応付けて記憶する端末接続情報記憶手段と、
要求に応じて、端末接続情報記憶手段を管理する端末接続情報管理手段と、
を備える電子会議システムに含まれる第一の情報通信端末を、
取得要求を接続先情報管理手段に出して、第二の情報通信端末の情報通信端末識別情報に対応した端末接続情報を取得させる接続先情報取得手段、
接続先情報管理手段より取得した端末接続情報を、第一の移動体通信端末に発呼させるために第一の移動体通信端末に送信する、端末接続情報送信手段、
として機能させる接続切替プログラム。
【請求項８】
請求項７記載の接続切替プログラムであって、
端末接続情報は、
第二の移動体通信端末に接続するための情報、または第一の情報通信端末に接続された多地点接続装置に接続するための情報である
ことを特徴とする接続切替プログラム。
【請求項９】
第一の情報通信端末と、
第一の情報通信端末と通信網を介して情報交換可能な第二の情報通信端末と、
第一の情報通信端末と情報交換可能な第一の移動体通信端末と、
第二の情報通信端末と情報交換可能であって、第一の移動体通信端末に、自己の移動体通信端末を識別する移動体通信端末識別情報が保持される第二の移動体通信端末と、
を備える電子会議システムにおいて、
各移動体通信端末の移動体通信端末識別情報に、各情報通信端末を識別する情報通信端末識別情報を、対応付けて記憶する端末識別情報記憶手段と、
要求に応じて、端末識別情報記憶手段を管理する端末識別情報管理手段と、
を備え、
第一の情報通信端末は、
第一の移動体通信端末から、第二の移動体通信端末の移動体通信端末識別情報を取得する、接続先移動体通信端末識別情報取得手段と、
取得要求を端末識別情報管理手段に出して、第二の移動体通信端末の移動体通信端末識別情報に対応した第二の情報通信端末の情報通信端末識別情報を取得する接続先情報通信端末識別情報管理手段と、
取得した第二の情報通信端末の情報通信端末識別情報を指定して、第二の情報通信端末に通信網を介して接続する情報通信端末接続手段と、
を備えることを特徴とする電子会議システム。
【請求項１０】
第一の情報通信端末と、
第一の情報通信端末と通信網を介して情報交換可能な第二の情報通信端末と、
第一の情報通信端末と情報交換可能な第一の移動体通信端末と、
第二の情報通信端末と情報交換可能であって、第一の移動体通信端末に、自己の移動体通信端末を識別する移動体通信端末識別情報が保持される第二の移動体通信端末と、
を備える電子会議システムにおいて、
電子会議の構成メンバーが用いる通信端末を接続させる多地点接続装置と、
各移動体通信端末の移動体通信端末識別情報に、接続に用いられる多地点接続装置を識別する多地点接続端末識別情報を、対応付けて記憶する多地点接続情報記憶手段と、
要求に応じて、多地点接続情報記憶手段を管理する多地点接続情報管理手段と、
を備え、
第一の情報通信端末は、
第一の移動体通信端末から、第一の移動体通信端末および第二の移動体通信端末の移動体通信端末識別情報を取得する、第一の接続先移動体通信端末識別情報取得手段と、
登録要求を多地点接続情報管理手段に出して、多地点接続端末識別情報に対応して、第一の移動体通信端末の移動体通信端末識別情報および第一の情報通信端末の情報通信端末識別情報と、第二の移動体通信端末の移動体通信端末識別情報とを、登録させる第一の多地点接続管理手段と、
を備え、
第二の情報通信端は、
第二の移動体通信端末から、第二の移動体通信端末および第一の移動体通信端末の移動体通信端末識別情報を取得する、第二の接続先移動体通信端末識別情報取得手段と、
更新要求を多地点接続情報管理手段に出して、第二の移動体通信端末の移動体通信端末識別情報に対応する情報通信端末識別情報を、第二の情報通信端末の情報通信端末識別情報に更新させる第二の多地点接続管理手段と、
を備え、
多地点接続装置は、
取得要求を多地点接続情報管理手段に出して、多地点接続情報記憶手段から多地点接続端末識別情報に対応する、第一の情報通信端末の情報通信端末識別情報と第二の情報通信端末の情報通信端末識別情報とを取得する接続対象取得手段と、
多地点接続情報管理手段から取得した第一の情報通信端末の情報通信端末識別情報によって特定される第一の情報通信端末と、第二の情報通信端末の情報通信端末識別情報によって特定される第二の情報通信端末とを接続させる情報通信端末接続手段と、
を備えることを特徴とする電子会議システム。
【請求項１１】
第一の情報通信端末と、
第一の情報通信端末と通信網を介して接続される第二の情報通信端末と、
第一の情報通信端末と情報交換可能な第一の移動体通信端末と、
第二の情報通信端末と情報交換可能な第二の移動体通信端末と、
を備える電子会議システムにおいて、
第一の情報通信端末と通信網を介して接続され、各情報通信端末を識別する情報通信端末識別情報に、第一の情報通信端末と情報交換可能な第一の移動体通信端末の接続先を特定する端末接続情報を、対応付けて記憶する端末接続情報記憶手段と、
要求に応じて、端末接続情報記憶手段を管理する端末接続情報管理手段と、
を備え、
第一の情報通信端末は、
取得要求を接続先情報管理手段に出して、第二の情報通信端末の情報通信端末識別情報に対応した端末接続情報を取得する接続先情報取得手段と、
接続先情報管理手段より取得した端末接続情報を、第一の移動体通信端末に発呼させるために第一の移動体通信端末に送信する、端末接続情報送信手段と、
を備えることを特徴とする電子会議システム。
【請求項１２】
多地点接続装置と、
多地点接続装置に通信網を介して接続される第一の情報通信端末と、
多地点接続装置を介して第一の情報通信端末に接続される第二の情報通信端末と、
第一の情報通信端末と情報交換可能な第一の移動体通信端末と、
第二の情報通信端末と情報交換可能な第二の移動体通信端末と、
を備える電子会議システムにおいて、
多地点接続装置を識別する情報である多地点接続端末識別情報に、第一の情報通信端末と情報交換可能な第一の移動体通信端末の接続先を特定する端末接続情報を、対応付けて記憶する端末接続情報記憶手段と、
要求に応じて、多地点接続情報記憶手段を管理する多地点接続情報管理手段と、
を備え、
第一の情報通信端末は、
取得要求を多地点接続情報管理手段に出して、多地点接続装置の多地点接続装置識別情報に対応した多地点接続末接続情報を取得する多地点接続末接続情報報取得手段と、
接続先情報管理手段より取得した多地点接続末接続情報を、第一の移動体通信端末に発呼させるために第一の移動体通信端末に送信する、端末接続情報送信手段と、
を備えることを特徴とする電子会議システム。
【請求項１３】
第一の情報通信端末と、
第一の情報通信端末と通信網を介して情報交換可能な第二の情報通信端末と、
第一の情報通信端末と情報交換可能な第一の移動体通信端末と、
第二の情報通信端末と情報交換可能であって、第一の移動体通信端末に、自己の移動体通信端末を識別する移動体通信端末識別情報が保持される第二の移動体通信端末と、
各移動体通信端末の移動体通信端末識別情報に、各情報通信端末を識別する情報通信端末識別情報を、対応付けて記憶する端末識別情報記憶手段と、
要求に応じて、端末識別情報記憶手段を管理する端末識別情報管理手段と、
を備える電子会議システムにおいて、
第一の情報通信端末が、
第一の移動体通信端末から、第二の移動体通信端末の移動体通信端末識別情報を取得するステップと、
取得要求を端末識別情報管理手段に出して、取得した第二の移動体通信端末の移動体通信端末識別情報に対応した第二の情報通信端末の情報通信端末識別情報を取得するステップと、
取得した第二の情報通信端末の情報通信端末識別情報を指定して、第二の情報通信端末に通信網を介して接続するステップと、
を含むことを特徴とする接続切替方法。
【請求項１４】
第一の情報通信端末と、
第一の情報通信端末と通信網を介して接続される第二の情報通信端末と、
第一の情報通信端末と情報交換可能な第一の移動体通信端末と、
第二の情報通信端末と情報交換可能な第二の移動体通信端末と、
第一の情報通信端末と通信網を介して接続され、各情報通信端末を識別する情報通信端末識別情報に、第一の情報通信端末と情報交換可能な第一の移動体通信端末の接続先を特定する端末接続情報を、対応付けて記憶する端末接続情報記憶手段と、
要求に応じて、端末接続情報記憶手段を管理する端末接続情報管理手段と、
を備える電子会議システムにおいて、
第一の情報通信端末が、
取得要求を接続先情報管理手段に出して、第二の情報通信端末の情報通信端末識別情報に対応した端末接続情報を取得するステップと、
接続先情報管理手段より取得した端末接続情報を、第一の移動体通信端末に発呼させるために第一の移動体通信端末に送信するステップと、
を含むことを特徴とする接続切替方法。
【発明の詳細な説明】
【技術分野】
【０００１】
本発明は電子会議システムを構成する情報通信端末を制御するプログラム関し、特に移動体通信端末と情報通信端末との間で行なわれる通信の切り替え制御に関する。
【背景技術】
【０００２】
特許文献１に開示されている、従来の、複数の音声通信端末同士が接続している状態から、複数の電子会議端末などの情報通信端末同士が接続する状態へ切り替える制御方法について、図１０を用いて説明する。
【０００３】
図１０は、２者間の通信において、使用される通信端末および通信チャネルを示した図である。ユーザＡは、音声通信端末である第一の電話１１０と、情報通信端末である第一の装置１４０を有する。第一の電話１１０は、第一の装置１４０と第一の周辺機器接続手段１３０を介して接続される。ユーザＢも同様に、第二の電話１１２、第二の装置１４２を有し、第二の周辺機器接続手段１３２によって、互いに接続されている。尚、第一及び第二の周辺機器接続手段の例として、Ｂｌｕｅｔｏｏｔｈや、シリアル接続等が挙げられる。
【０００４】
第一の電話１１０と第二の電話１１２は、１次チャンネル１６０を介して接続されている。一方、第一の装置１４０と第二の装置１４２は、それぞれ２次チャンネル１５０に接続されているが、互いのネットワークアドレスをもっていないため、相互に通信することは出来ない状態である。第一の装置１４０と第一の電話１１０は第一の周辺機器接続手段１３０を介して接続されている。そのため、第一の装置１４０と第一の電話１１０は互いに情報を交換することができる。第二の装置１４２と第二の電話１１２についても同様である。
【０００５】
次に、第一の電話１１０と第二の電話１１２とが１次チャンネル１６０を経由して通話している状態から、第一の装置１４０と第二の電話１１２とが２次チャンネル１５０を経由して接続を確立するように切り替える方法について説明する。
【０００６】
ユーザＡとユーザＢは、ある時点において、第一の電話１１０と第二の電話１１２とを用いて、互いに１次チャンネル１６０を利用して音声通信している、即ち通話している。
【０００７】
そこで、一方が、文書データなど容量の大きいデータを送信したいという要望が発生し、第一の装置１４０と第二の装置１４２との通信に切り替えるという要求が発生したとする。ユーザＡは第一の装置１４０を操作することにより、この要求を第一の装置に伝える。
【０００８】
ユーザＡからの要求を受けた第一の装置１４０は、第一の電話１１０、１次チャンネル１６０、第二の電話１１２を経由する通信経路を利用して第二の装置１４２との接続を確立する。そして、第一の装置１４０は、第二の装置１４２へ、送信側の端末装置（第一の装置１４０）を特定する端末特定情報を送信する。この端末特定情報は、例えば、送り側のＩＰアドレス、サービスプロトコル及びポート番号を含む。
【０００９】
第二の装置１４２は、１次チャンネル１６０を経由して送信された端末特定情報を受信し、端末特定情報に含まれる情報から、接続すべき端末（第一の装置１４０）を特定する。そして、第二の装置１４２は、２次チャンネル１５０を経由する通信経路を利用して、第一の装置１４０との接続を確立する。このように、第一の装置１４０と第二の装置１４２は、２次チャンネル１５０を経由して通信可能な状態となる。その後、１次チャンネル１６０を経由した第一の電話１１０と第二の電話１１２との通信は切断される。
【００１０】
【特許文献１】特開２００４−３３６７４１号公報
【発明の開示】
【発明が解決しようとする課題】
【００１１】
しかし、端末特定情報が、一方の情報通信端末から他方の情報通信端末へ音声通信端末によって使用されている通信チャネルを経由して送信される処理を含む接続切り替え制御方法の場合、以下のような問題がある。
【００１２】
第一の電話と第二の電話が共に携帯電話であって、１次チャンネル１６０が携帯電話網である場合、携帯電話同士の通信は不安定であり、互いの接続が切断され易い。そのため、第一の装置１４０と第二の装置１４２とが、２次チャンネル１５０を経由して接続を確立する前に、１次チャンネル１６０を経由した接続が切断される可能性がある。この場合、再度、第一の電話と第二の電話との接続を確立しなければならない。
【００１３】
更に、この方法の場合、接続を切り替える際に、端末特定情報が１次チャンネル１６０を経由して第二の装置１４２へ送信されるが、携帯電話網を利用しているため、通信費用は高くなってしまう。
【００１４】
また、この方法の場合、第一の装置１４０と第二の装置１４２とが２次チャンネル１５０を経由して通信している状態から、携帯電話同士で通話する状態に切り替えることは出来ない。
【００１５】
本発明は、上記従来技術の問題に鑑み、携帯電話などの音声通信端末を含む移動体通信端末同士を接続した状態から情報通信端末同士を接続する場合に、一方の情報通信端末が、他方の情報通信端末に接続するための情報通信端末識別情報を、移動体通信端末同士が接続されている通信回線を介さずに取得することが出来る電子会議システムにおける接続切替プログラムを提供することを目的とする。
【００１６】
また、本発明は、情報通信端末を利用して通信している状態から、携帯電話を利用した通信へ切り替えることができる電子会議システムにおける接続切替プログラムを提供することを目的とする。
【課題を解決するための手段】
【００１７】
本発明の接続切替プログラムは、第一の情報通信端末と、第一の情報通信端末と通信網を介して情報交換可能な第二の情報通信端末と、第一の情報通信端末と情報交換可能な第一の移動体通信端末と、第二の情報通信端末と情報交換可能であって、第一の移動体通信端末に、自己の移動体通信端末を識別する移動体通信端末識別情報が保持される第二の移動体通信端末と、各移動体通信端末の移動体通信端末識別情報に、各情報通信端末を識別する情報通信端末識別情報を、対応付けて記憶する端末識別情報記憶手段と、要求に応じて、端末識別情報記憶手段を管理する端末識別情報管理手段と、を備える電子会議システムに含まれる第一の情報通信端末を、第一の移動体通信端末から、第二の移動体通信端末の移動体通信端末識別情報を取得する、第一の接続先移動体通信端末識別情報取得手段、取得要求を端末識別情報管理手段に出して、第二の移動体通信端末の移動体通信端末識別情報に対応した第二の情報通信端末の情報通信端末識別情報を取得する第一の接続先情報通信端末識別情報管理手段、取得した第二の情報通信端末の情報通信端末識別情報によって指定して、第二の情報通信端末に通信網を介して接続する情報通信端末接続手段、として機能させることを特徴とする接続切替プログラムである。
【００１８】
また、本発明の接続切替プログラムは、第二の情報通信端末を、第二の移動体通信端末から、第一の移動体通信端末の移動体通信端末識別情報を取得する、第二の接続先移動体通信端末識別情報取得手段、登録要求を端末識別情報管理手段に出して、第二の移動体通信端末の移動体通信端末識別情報に対応して第二の情報通信端末の情報通信端末識別情報を登録させる第二の接続先情報通信端末識別情報管理手段、として機能させることを特徴とする。
【００１９】
さらに、本発明の接続切替プログラムにおいて、第一の接続先情報通信端末識別情報管理手段は、登録要求を端末識別情報管理手段に出して、第一の移動体通信端末の移動体通信端末識別情報に対応して第一の情報通信端末の情報通信端末識別情報を登録させ、第二の接続先情報通信端末識別情報管理手段は、登録要求を端末識別情報管理手段に出して、第二の移動体通信端末の移動体通信端末識別情報に対応して第二の情報通信端末の情報通信端末識別情報を登録させ、取得要求を端末識別情報管理手段に出して、第一の接続先情報通信端末識別情報管理手段によって登録された、第一の移動体通信端末の移動体通信端末識別情報に対応した第一の情報通信端末の情報通信端末識別情報を取得し、端末識別情報管理手段より取得した第一の情報通信端末の情報通信端末識別情報を指定して、第一の情報通信端末に通信網を介して接続する、ことを特徴とする。
【００２０】
本発明の接続切替プログラムの一態様においては、第一の情報通信端末と、第一の情報通信端末と通信網を介して情報交換可能な第二の情報通信端末と、第一の情報通信端末と情報交換可能な第一の移動体通信端末と、第二の情報通信端末と情報交換可能であって、第一の移動体通信端末に、自己の移動体通信端末を識別する移動体通信端末識別情報が保持される第二の移動体通信端末と、電子会議の構成メンバーが用いる通信端末を接続させる多地点接続装置と、各移動体通信端末の移動体通信端末識別情報に、接続に用いられる多地点接続装置を識別する多地点接続端末識別情報を、対応付けて記憶する多地点接続情報記憶手段と、要求に応じて、多地点接続情報記憶手段を管理する多地点接続情報管理手段と、を備える電子会議システムに含まれる第一の情報通信端末を、第一の移動体通信端末から、第一の移動体通信端末および第二の移動体通信端末の移動体通信端末識別情報を取得する、第一の接続先移動体通信端末識別情報取得手段、登録要求を多地点接続情報管理手段に出して、多地点接続端末識別情報に対応して、第一の移動体通信端末の移動体通信端末識別情報および第一の情報通信端末の情報通信端末識別情報と、第二の移動体通信端末の移動体通信端末識別情報とを、登録させる第一の多地点接続管理手段、として機能させ、第二の情報通信端末を、第二の移動体通信端末から、第二の移動体通信端末および第一の移動体通信端末の移動体通信端末識別情報を取得する、第二の接続先移動体通信端末識別情報取得手段、更新要求を多地点接続情報管理手段に出して、第二の移動体通信端末の移動体通信端末識別情報に対応する情報通信端末識別情報を、第二の情報通信端末の情報通信端末識別情報に更新させる第二の多地点接続管理手段、として機能させ、多地点接続装置を、取得要求を多地点接続情報管理手段に出して、多地点接続情報記憶手段から多地点接続端末識別情報に対応する、第一の情報通信端末の情報通信端末識別情報と第二の情報通信端末の情報通信端末識別情報とを取得する接続対象取得手段、多地点接続情報管理手段から取得した第一の情報通信端末の情報通信端末識別情報によって特定される第一の情報通信端末と、第二の情報通信端末の情報通信端末識別情報によって特定される第二の情報通信端末とを接続させる情報通信端末接続手段、として機能させることを特徴とする接続切替プログラムである。
【００２１】
また、本発明の接続切替プログラムは、第一の情報通信端末と、第一の情報通信端末と通信網を介して接続される第二の情報通信端末と、第一の情報通信端末と情報交換可能な第一の移動体通信端末と、第二の情報通信端末と情報交換可能な第二の移動体通信端末と、第一の情報通信端末と通信網を介して接続され、各情報通信端末を識別する情報通信端末識別情報に、第一の情報通信端末と情報交換可能な第一の移動体通信端末の接続先を特定する端末接続情報を、対応付けて記憶する端末接続情報記憶手段と、要求に応じて、端末接続情報記憶手段を管理する端末接続情報管理手段と、を備える電子会議システムに含まれる第一の情報通信端末を、取得要求を接続先情報管理手段に出して、第二の情報通信端末の情報通信端末識別情報に対応した端末接続情報を取得する接続先情報取得手段、接続先情報管理手段より取得した端末接続情報を、第一の移動体通信端末に発呼させるために第一の移動体通信端末に送信する、端末接続情報送信手段、として機能させることを特徴とする接続切替プログラムである。
【００２２】
更に、本発明の接続切替プログラムにおいて、端末接続情報は、第二の移動体通信端末に接続するための情報、または第二の情報通信端末に接続するための情報であることを特徴とする。
【００２３】
また、本発明の接続切替プログラムは、多地点接続装置と、多地点接続装置に通信網を介して接続される第一の情報通信端末と、多地点接続装置を介して第一の情報通信端末に接続される第二の情報通信端末と、第一の情報通信端末と情報交換可能な第一の移動体通信端末と、第二の情報通信端末と情報交換可能な第二の移動体通信端末と、多地点接続装置を識別する情報である多地点接続端末識別情報に、第一の情報通信端末と情報交換可能な第一の移動体通信端末の接続先を特定する端末接続情報を、対応付けて記憶する端末接続情報記憶手段と、要求に応じて、端末接続情報記憶手段を管理する端末接続情報管理手段と、を備える電子会議システムに含まれる第一の情報通信端末を、取得要求を接続先情報管理手段に出して、第二の情報通信端末の情報通信端末識別情報に対応した端末接続情報を取得させる接続先情報取得手段、接続先情報管理手段より取得した端末接続情報を、第一の移動体通信端末に発呼させるために第一の移動体通信端末に送信する、端末接続情報送信手段、として機能させることを特徴とする接続切替プログラムである。
【００２４】
更に、本発明の接続切替プログラムにおいて、端末接続情報は、第二の移動体通信端末に接続するための情報、または第一の情報通信端末に接続された多地点接続装置に接続するための情報であることを特徴とする。
【００２５】
本発明の電子会議システムは、第一の情報通信端末と、第一の情報通信端末と通信網を介して情報交換可能な第二の情報通信端末と、第一の情報通信端末と情報交換可能な第一の移動体通信端末と、第二の情報通信端末と情報交換可能であって、第一の移動体通信端末に、自己の移動体通信端末を識別する移動体通信端末識別情報が保持される第二の移動体通信端末と、を備える電子会議システムにおいて、各移動体通信端末の移動体通信端末識別情報に、各情報通信端末を識別する情報通信端末識別情報を、対応付けて記憶する端末識別情報記憶手段と、要求に応じて、端末識別情報記憶手段を管理する端末識別情報管理手段と、を備え、第一の情報通信端末は、第一の移動体通信端末から、第二の移動体通信端末の移動体通信端末識別情報を取得する、接続先移動体通信端末識別情報取得手段と、取得要求を端末識別情報管理手段に出して、第二の移動体通信端末の移動体通信端末識別情報に対応した第二の情報通信端末の情報通信端末識別情報を取得する接続先情報通信端末識別情報管理手段と、取得した第二の情報通信端末の情報通信端末識別情報を指定して、第二の情報通信端末に通信網を介して接続する情報通信端末接続手段と、を備えることを特徴とする。
【００２６】
また、本発明の電子会議システムは、第一の情報通信端末と、第一の情報通信端末と通信網を介して情報交換可能な第二の情報通信端末と、第一の情報通信端末と情報交換可能な第一の移動体通信端末と、第二の情報通信端末と情報交換可能であって、第一の移動体通信端末に、自己の移動体通信端末を識別する移動体通信端末識別情報が保持される第二の移動体通信端末と、を備える電子会議システムにおいて、電子会議の構成メンバーが用いる通信端末を接続させる多地点接続装置と、各移動体通信端末の移動体通信端末識別情報に、接続に用いられる多地点接続装置を識別する多地点接続端末識別情報を、対応付けて記憶する多地点接続情報記憶手段と、要求に応じて、多地点接続情報記憶手段を管理する多地点接続情報管理手段と、を備え、第一の情報通信端末は、第一の移動体通信端末から、第一の移動体通信端末および第二の移動体通信端末の移動体通信端末識別情報を取得する、第一の接続先移動体通信端末識別情報取得手段と、登録要求を多地点接続情報管理手段に出して、多地点接続端末識別情報に対応して、第一の移動体通信端末の移動体通信端末識別情報および第一の情報通信端末の情報通信端末識別情報と、第二の移動体通信端末の移動体通信端末識別情報とを、登録させる第一の多地点接続管理手段と、を備え、第二の情報通信端は、第二の移動体通信端末から、第二の移動体通信端末および第一の移動体通信端末の移動体通信端末識別情報を取得する、第二の接続先移動体通信端末識別情報取得手段と、更新要求を多地点接続情報管理手段に出して、第二の移動体通信端末の移動体通信端末識別情報に対応する情報通信端末識別情報を、第二の情報通信端末の情報通信端末識別情報に更新させる第二の多地点接続管理手段と、を備え、多地点接続装置は、取得要求を多地点接続情報管理手段に出して、多地点接続情報記憶手段から多地点接続端末識別情報に対応する、第一の情報通信端末の情報通信端末識別情報と第二の情報通信端末の情報通信端末識別情報とを取得する接続対象取得手段と、多地点接続情報管理手段から取得した第一の情報通信端末の情報通信端末識別情報によって特定される第一の情報通信端末と、第二の情報通信端末の情報通信端末識別情報によって特定される第二の情報通信端末とを接続させる情報通信端末接続手段と、を備えることを特徴とする。
【００２７】
また、本発明の電子会議システムは、第一の情報通信端末と、第一の情報通信端末と通信網を介して接続される第二の情報通信端末と、第一の情報通信端末と情報交換可能な第一の移動体通信端末と、第二の情報通信端末と情報交換可能な第二の移動体通信端末と、を備える電子会議システムにおいて、第一の情報通信端末と通信網を介して接続され、各情報通信端末を識別する情報通信端末識別情報に、第一の情報通信端末と情報交換可能な第一の移動体通信端末の接続先を特定する端末接続情報を、対応付けて記憶する端末接続情報記憶手段と、要求に応じて、端末接続情報記憶手段を管理する端末接続情報管理手段と、を備え、第一の情報通信端末は、取得要求を接続先情報管理手段に出して、第二の情報通信端末の情報通信端末識別情報に対応した端末接続情報を取得する接続先情報取得手段と、接続先情報管理手段より取得した端末接続情報を、第一の移動体通信端末に発呼させるために第一の移動体通信端末に送信する、端末接続情報送信手段と、を備えることを特徴とする。
【００２８】
また、本発明の電子会議システムは、多地点接続装置と、多地点接続装置に通信網を介して接続される第一の情報通信端末と、多地点接続装置を介して第一の情報通信端末に接続される第二の情報通信端末と、第一の情報通信端末と情報交換可能な第一の移動体通信端末と、第二の情報通信端末と情報交換可能な第二の移動体通信端末と、を備える電子会議システムにおいて、多地点接続装置を識別する情報である多地点接続端末識別情報に、第一の情報通信端末と情報交換可能な第一の移動体通信端末の接続先を特定する端末接続情報を、対応付けて記憶する端末接続情報記憶手段と、要求に応じて、多地点接続情報記憶手段を管理する多地点接続情報管理手段と、を備え、第一の情報通信端末は、取得要求を多地点接続情報管理手段に出して、多地点接続装置の多地点接続装置識別情報に対応した多地点接続末接続情報を取得する多地点接続末接続情報報取得手段と、接続先情報管理手段より取得した多地点接続末接続情報を、第一の移動体通信端末に発呼させるために第一の移動体通信端末に送信する、端末接続情報送信手段と、を備えることを特徴とする。
【００２９】
本発明の接続切替方法は、第一の情報通信端末と、第一の情報通信端末と通信網を介して情報交換可能な第二の情報通信端末と、第一の情報通信端末と情報交換可能な第一の移動体通信端末と、第二の情報通信端末と情報交換可能であって、第一の移動体通信端末に、自己の移動体通信端末を識別する移動体通信端末識別情報が保持される第二の移動体通信端末と、各移動体通信端末の移動体通信端末識別情報に、各情報通信端末を識別する情報通信端末識別情報を、対応付けて記憶する端末識別情報記憶手段と、要求に応じて、端末識別情報記憶手段を管理する端末識別情報管理手段と、を備える電子会議システムにおいて、第一の情報通信端末が、第一の移動体通信端末から、第二の移動体通信端末の移動体通信端末識別情報を取得するステップと、取得要求を端末識別情報管理手段に出して、取得した第二の移動体通信端末の移動体通信端末識別情報に対応した第二の情報通信端末の情報通信端末識別情報を取得するステップと、取得した第二の情報通信端末の情報通信端末識別情報を指定して、第二の情報通信端末に通信網を介して接続するステップと、を含むことを特徴とする。
【００３０】
また、本発明の接続切替方法は、第一の情報通信端末と、第一の情報通信端末と通信網を介して接続される第二の情報通信端末と、第一の情報通信端末と情報交換可能な第一の移動体通信端末と、第二の情報通信端末と情報交換可能な第二の移動体通信端末と、第一の情報通信端末と通信網を介して接続され、各情報通信端末を識別する情報通信端末識別情報に、第一の情報通信端末と情報交換可能な第一の移動体通信端末の接続先を特定する端末接続情報を、対応付けて記憶する端末接続情報記憶手段と、要求に応じて、端末接続情報記憶手段を管理する端末接続情報管理手段と、を備える電子会議システムにおいて、第一の情報通信端末が、取得要求を接続先情報管理手段に出して、第二の情報通信端末の情報通信端末識別情報に対応した端末接続情報を取得するステップと、接続先情報管理手段より取得した端末接続情報を、第一の移動体通信端末に発呼させるために第一の移動体通信端末に送信するステップと、を含むことを特徴とする。
【発明の効果】
【００３１】
本発明によれば、第一の情報通信端末は、第一の移動体通信端末が保持している第二の移動体通信端末の移動体通信端末識別情報によって、端末識別情報管理手段から、第二の情報通信端末に接続するための情報を取得出来る。これにより、第二の移動体通信端末から第一の移動体通信端末へ、第二の情報通信端末の情報通信端末識別情報を送信しなくても、第一の情報通信端末は第二の情報通信端末に接続することができる。
【００３２】
また、本発明によれば、第一の情報通信端末を用いて電子会議に参加している状態から、第一の移動体通信端末を用いた電子会議への参加に切り替える場合に、第一の移動体通信端末に、接続先の通信端末の電話番号を送信することが出来るので、第一の移動体通信端末を用いて継続して電子会議に参加することが出来る。
【発明を実施するための最良の形態】
【００３３】
本明細書における電子会議とは、離れた場所にある複数の通信端末が通信回線を通して接続され、それぞれの通信端末間で共通の情報を送受信しながら行なわれる会議をいう。
【００３４】
本実施の形態において、電子会議に接続し通信端末間で情報を送受信する方法は、コンピュータなどの情報通信端末を用いて接続し、映像及び音声情報を送受信する方法と、携帯電話などの音声通信端末を、電子会議を構成している一つの情報通信端末に通信回線を介して接続し、その情報通信端末を経由して音声情報を送受信する方法とがある。
【００３５】
（実施の形態１）
図１は本実施の形態１に係る電子会議システム１０の構成を示している。本実施の形態における電子会議システム１０は、電子会議端末２０、電子会議端末３０、携帯電話４０、携帯電話５０、サーバー６０、多地点接続装置８０、を含む。
【００３６】
電子会議端末２０及び電子会議端末３０は、コンピュータなどの情報通信端末であり、電子会議を構成する通信端末の一つである。電子会議端末２０，３０は、ＩＰネットワーク網９０を介して接続可能である。一方の電子会議端末２０が他方の電子会議端末３０にＩＰネットワーク網９０を介して接続する場合、ＩＰアドレスなどの情報通信端末識別情報（以後ＩＰアドレスとする）によって電子会議端末３０を特定することによって接続する。説明の便宜上、接続を試みる側の電子会議端末を第一の電子会議端末２０、接続の対象である電子会議端末を第二の電子会議端末３０として説明を進める。尚、これらの区別は、説明の便宜上つけたものであって、第一の電子会議端末２０と第二の電子会議端末３０とを入れ替えることも可能である。各電子会議端末２０，３０が接続された後、少なくとも一方の電子会議端末２０から他方の電子会議端末３０へ、映像および音声情報が送信可能となる。各電子会議端末２０，３０は、電話網９２にも接続されている。そのため、後述する携帯電話４０などは、電話網９２を介して各電子会議端末２０，３０と接続することが可能である。他の通信端末が電話網９２を介して各電子会議端末２０，３０と接続する場合、電話番号などの電話用識別情報（以後電話番号とする）で第二の電子会議端末３０を特定することによって接続する。
【００３７】
携帯電話４０および携帯電話５０は、電話網９２を通して他の通信端末と接続可能な移動体通信端末である。携帯電話４０が携帯電話５０を電話網９２を介して接続する場合、電話番号によって接続先の携帯電話５０を特定することによって接続する。説明の便宜上、接続を試みる側の携帯電話を第一の携帯電話４０、接続の対象である携帯電話を第二の携帯電話５０として説明を進める。尚、これらの区別は、説明の便宜上つけたものであって、第一の携帯電話４０と第二の携帯電話５０とを入れ替えることも可能である。第一の携帯電話４０は第二の携帯電話５０に接続可能であると共に、電話網９２を介して各電子会議端末２０，３０に接続可能である。そして、電子会議端末３０と情報交換出来る、即ち電子会議に接続することが出来る。ただし、携帯電話４０によって交換される情報は、音声情報のみである。
【００３８】
多地点接続装置８０は、コンピュータなどの情報通信端末の一つであり、電子会議の構成メンバーに接続され、各電子会議の構成メンバー同士を接続するために使用される接続仲介手段である。本実施の形態において、電子会議の構成メンバーとは、電子会議に接続可能な通信端末を指す。たとえば、各電子会議端末２０，３０及び、各携帯電話４０，５０を指す。多地点接続装置８０は、ＩＰネットワーク網９０を介して各電子会議端末２０，３０に接続される。多地点接続装置８０が、多地点接続装置８０に接続している第一の電子会議端末２０と第二の電子会議端末３０とを接続させることによって、第一の電子会議端末２０は第二の電子会議端末３０に接続される。このように、多地点接続装置８０を用いて各電子会議端末２０，３０が接続される場合、一方の電子会議端末は多地点接続装置８０を経由して他方の電子会議端末に接続される。各電子会議端末２０，３０がＩＰネットワーク網９０を介して多地点接続装置８０に接続する場合、ＩＰアドレスで多地点接続装置８０を特定することによって接続する。携帯電話４０などの移動体通信端末が電話網９２を介して多地点接続装置８０と接続する場合、多地点接続装置８０に割り当てられた電話番号で多地点接続装置８０を特定することによって接続する。
【００３９】
サーバー６０は、情報通信端末の一つであり、第一の電子会議端末２０，３０、および各携帯電話４０，５０などの通信端末に接続するために必要な端末識別情報を管理する端末識別情報管理手段である。サーバー６０は、ＩＰネットワーク網９０を介して各電子会議端末２０，３０に接続されており、各電子会議端末２０，３０から接続情報の取得要求がある場合、指定された条件に合致する接続情報を返す。
【００４０】
続いて各構成の詳細について説明する。尚、第二の携帯電話５０は、第一の携帯電話４０と同様の構成であるため、構成についての説明は省略する。同様に第二の電子会議端末３０についても、第一の電子会議端末２０と同様の構成であるため、構成についての説明は省略する。
【００４１】
第一の携帯電話４０は、通信制御部４２、通信管理部４４、近距離通信ＩＣ４６を備える。
【００４２】
通信制御部４２は、電話網９２を介して他の端末と通信するための携帯電話用通信制御部である。通信制御部４２は、第一の携帯電話４０の電話番号ａ１、第一の携帯電話４０の過去に発信及び着信した電話番号（発信履歴、着信履歴）などの通信履歴を管理する。また、第一の携帯電話４０の接続状態の情報を管理する。
【００４３】
近距離通信ＩＣ４６は、第一の携帯電話４０に内蔵された読み書き可能な記憶媒体である。このようなＩＣとして、例えばＦｅｌｉＣａ（登録商標）が挙げられる。近距離通信ＩＣ４６は、通信管理部４４の内部から読み書き可能である。また、近距離通信ＩＣ４６の内容を読み取る機器があれば、第一の携帯電話４０と異なる装置から、電磁波を利用して読み書きすることが出来る。電磁波を利用するため、第一の携帯電話４０と非接触で、情報の交換が可能である。
【００４４】
通信管理部４４は、通信制御部４２の動作を管理し、近距離通信ＩＣ４６に情報を読み書きする第一の携帯電話４０の動作管理部である。通信管理部４４は、ユーザの操作によって起動され、一の携帯電話４０の過去に発信及び着信した電話番号（発信履歴、着信履歴）を取得する。そして、通信管理部４４は、第一の携帯電話４０の電話番号ａ１と、第二の携帯電話５０の電話番号ｂ１を近距離通信ＩＣ４６に書き込む。
【００４５】
尚、第一の携帯電話４０の各部の機能は、第一の携帯電話４０に内蔵されたアプリケーションとハードウェア資源とが協働して動作することによって実現される。
【００４６】
第一の電子会議端末２０は、ＩＣカードリーダライタ２２、電子会議管理部２４、電子会議制御部２６を備える。
【００４７】
ＩＣカードリーダライタ２２は、第一の携帯電話４０に内蔵された近距離通信ＩＣ４６に対して、非接触で情報を読み書きするための装置である。このようなＩＣカード用の読み書き装置として、例えばＰａＳｏＲｉ（登録商標）が挙げられる。ＩＣカードリーダライタ２２が読み取り要求の状態で待機しており、ユーザが第一の携帯電話４０をＩＣカードリーダライタ２２の近くにかざした場合、ＩＣカードリーダライタ２２は、近距離通信ＩＣ４６から、第一の携帯電話４０の電話番号ａ１と第二の携帯電話５０の電話番号ｂ１とを読み取る。このように、ＩＣカードリーダライタ２２は、近距離通信ＩＣ４６に保持された情報を読み込むことによって第一の携帯電話４０の保持する情報、即ち第一の携帯電話４０の電話番号ａ１と第二の携帯電話５０の電話番号ｂ１を受信する。一方、ＩＣカードリーダライタ２２が書き込み要求状態で待機しており、ユーザが第一の携帯電話４０をＩＣカードリーダライタ２２の近くにかざした場合、ＩＣカードリーダライタ２２は、近距離通信ＩＣ４６に、電話番号を書き込む。この電話番号の詳細については後述する。
【００４８】
電子会議管理部２４は、第二の電子会議端末３０、第二の携帯電話５０および多地点接続装置８０などの通信端末に接続するための接続情報の管理部である。電子会議管理部２４は、ＩＣカードリーダライタ２２から、第一の携帯電話４０の電話番号ａ１と、第二の携帯電話５０の電話番号ｂ１を受信する。電子会議管理部２４は、第二の携帯電話５０の電話番号ｂ１を指定して、サーバー６０から接続先の端末識別情報であるＩＰアドレスを取得する。このように電子会議管理部２４は、接続先端末識別情報管理手段としての役割を有する。
【００４９】
電子会議制御部２６は、第一の電子会議端末２０が他の通信端末と接続するため接続部である。電子会議制御部２６は、ＩＰネットワーク網９０を介して他の電子会議端末と接続される。また、電子会議制御部２６は、電話網９２を介して、各携帯電話４０，５０に接続される。電子会議制御部２６は、他の通信端末と接続するための通信端末接続手段としての役割を有する。
【００５０】
尚、第一の電子会議端末２０の各部の機能は、第一の電子会議端末２０に内蔵されたアプリケーションとハードウェア資源とが協働して動作することによって実現される。
【００５１】
サーバー６０は、ディレクトリ管理部６２と、ディレクトリデータベース６４を備える。
【００５２】
ディレクトリデータベース６４は、各電子会議端末２０，３０、各携帯電話４０，５０、多地点接続装置８０に接続するための情報を保存する。ディレクトリデータベース６４に登録されているテーブルを図２に示す。ディレクトリデータベース６４は、携帯電話情報管理テーブル１０２、電子会議端末情報管理テーブル１０４、多地点接続管理テーブル１０６及び多地点接続グループ管理テーブル１０８を備える。
【００５３】
携帯電話情報管理テーブル１０２には、各携帯電話４０，５０の電話番号に、各電子会議端末２０，３０のＩＰアドレスが対応づけられて登録される。携帯電話情報管理テーブル１０２は、携帯電話の電話番号から対応している電子会議端末を検索する場合や、電子会議端末のＩＰアドレスから対応している携帯電話の電話番号を検索する場合に使用される。
【００５４】
電子会議端末情報管理テーブル１０４には、各電子会議端末２０，３０及び多地点接続装置８０のＩＰアドレスに電話番号が対応づけられて登録される。電子会議端末情報管理テーブル１０４は、各電子会議端末２０，３０及び多地点接続装置８０のＩＰアドレスに対応した電話番号を検索する場合に使用される。尚、各電子会議端末２０，３０及び多地点接続装置８０のＩＰアドレスおよび電話番号は、システム構築時において既に決定されている。そのため、電子会議端末情報管理テーブル１０４に、ＩＰアドレスと電話番号は予め電子会議端末情報管理テーブル１０４に登録されている。
【００５５】
多地点接続管理テーブル１０６には、各携帯電話４０，５０の電話番号に、各電子会議端末２０，３０のＩＰアドレス、多地点接続装置８０のＩＰアドレス（以後、ＭＣＵアドレス）およびグループ番号が対応づけられて登録される。同一のＭＣＵアドレスおよびグループ番号に対応しているＩＰアドレスが複数ある場合、そのＩＰアドレスによって特定される各電子会議端末は、多地点接続装置８０を介して相互に接続されることを意味する。又、同一のＭＣＵアドレスおよびグループ番号に対応している携帯電話番号によって特定される携帯電話は、多地点接続装置８０を介して電子会議に接続することが出来る。即ち、同一のＭＣＵアドレスおよびグループ番号に対応付けられた、ＩＰアドレスによって特定される電子会議端末、及び電話番号によって特定される携帯電話が、一つの電子会議の構成メンバーである。各電子会議端末２０，３０が多地点接続装置８０を介して接続されるためには、多地点接続管理テーブル１０６において各電子会議端末２０，３０のＩＰアドレスが、同一のＭＣＵアドレス及びグループ番号に対応していることが必要である。このように、多地点接続管理テーブル１０６は、各電子会議端末２０，３０が多地点接続装置８０を介して接続される場合に利用される。
【００５６】
多地点接続管理テーブル１０６には、複数のＭＣＵアドレスを設定することが可能である。複数のＭＣＵアドレスを設定することによって、一つの電子会議システムに複数の多地点接続装置を設けることも可能である。又、同一のＭＣＵアドレスに対して、複数のグループを設定することが可能である。複数のグループを設定することによって、一つの多地点接続装置に、それぞれのグループに対応した複数の電子会議を構成することが可能である。
【００５７】
多地点接続グループ管理テーブル１０８には、ＭＣＵアドレスとグループ番号に、使用中か否かを示す使用中フラグが対応づけられて登録される。
【００５８】
多地点接続管理テーブル１０６にＭＣＵアドレス及びグループが登録される場合、多地点接続グループ管理テーブル１０８テーブルから、使用中フラグが０（未使用を表す）に対応するＭＣＵアドレス及びグループが検索され、そのＭＣＵアドレス及びグループが多地点接続管理テーブル１０６に登録される。多地点接続管理テーブル１０６にＭＣＵアドレス及びグループが登録される場合、多地点接続グループ管理テーブル１０８において、ＭＣＵアドレス及びグループに対応する使用中フラグが１（使用中を表す）に更新される。逆に、多地点接続管理テーブル１０６からＭＣＵアドレス及びグループが削除される場合、多地点接続グループ管理テーブル１０８において、ＭＣＵアドレス及びグループに対応する使用中フラグが０に更新される。多地点接続グループ管理テーブル１０８は、多地点接続管理テーブル１０６に情報を登録する際、未使用のグループを検索する場合に利用される。
【００５９】
尚、ＭＣＵアドレスは、予め多地点接続グループ管理テーブル１０８に登録されている。又、多地点接続装置８０で使用可能なグループ番号も予め多地点接続グループ管理テーブル１０８に登録されている。
【００６０】
このように、ディレクトリデータベース６４は、端末識別情報記憶手段としての機能を有する。
【００６１】
ディレクトリ管理部６２は、ディレクトリデータベース６４を操作して、各電子会議端末２０，３０、各携帯電話４０，５０、多地点接続装置８０の端末を特定する端末識別情報を管理する。ディレクトリ管理部６２は、各電子会議端末２０，３０からの要求に応じ、ディレクトリデータベース６４から情報を検索して検索結果を返したり、ディレクトリデータベース６４の情報を更新（追加・削除を含む）したりする。このように、ディレクトリ管理部６２は、ディレクトリデータベース６４を管理する端末識別情報管理手段としての機能を有する。
【００６２】
尚、ディレクトリ管理部６２の機能は、サーバー６０に内蔵されたアプリケーションとハードウェア資源とが協働して動作することによって実現される。
【００６３】
以上で、本実施の形態における電子会議システム１０の構成についての説明を終了する。
【００６４】
次に、本実施の形態における電子会議システム１０において、第一の携帯電話４０と第二の携帯電話５０とが接続されて、ユーザＡとユーザＢが通話している状態から、第一の電子会議端末２０と第二の電子会議端末３０とが接続され、ユーザＡとユーザＢが電子会議を行なうまでの、接続の切り替え処理について具体的に説明する。尚、第一の携帯電話４０のユーザをユーザＡ、第二の携帯電話５０のユーザをユーザＢとする。
【００６５】
このような状況は、例えば、ユーザＡとユーザＢが、互いの携帯電話を利用して通話している、即ち音声情報を交換している状態から、映像を含めて情報を交換するために、第一の電子会議端末２０と第二の電子会議端末３０を利用して電子会議を始める場合などに発生する。
【００６６】
ユーザＡは、第一の携帯電話４０を操作して、第一の電子会議端末２０から電子会議に参加することを通信管理部４４に指示する。この操作によって、通信管理部４４は、通話している状態から電子会議に移行するための処理を開始する。第二の携帯電話５０も同様の手順によって、通話している状態から電子会議に移行するための処理を開始する。また、ユーザＡは、第一の電子会議端末２０を操作して、電子会議を開始することを、電子会議管理部２４へ指示する。この操作によって、電子会議管理部２４は、電子会議を開始するための処理を開始する。尚、第二の電子会議端末３０も同様の手順によって、電子会議を開始するための処理を開始する。
【００６７】
最初に、第一の携帯電話４０における処理について、図３を用いて説明する。図３は、第一の携帯電話４０における、第一の携帯電話４０の保持している情報を、近距離通信ＩＣ４６に書き込む処理を示すフローチャートである。
【００６８】
上記のユーザＡの指示を受信すると、通信管理部４４は、通信制御部４２に通話状態を確認する。通信制御部４２は通信状態を確認し、通話中か否かを通信管理部４４へ返す（ステップ５００）。
【００６９】
通信制御部４２から第一の携帯電話４０は通話中であるという応答が返ってきた場合、通信管理部４４は、通信制御部４２へ通話中である第二の携帯電話５０の電話番号を要求する。通信制御部４２は、その要求を受信し、電話番号ｂ１を通信管理部４４へ返す。通信管理部４４は、第二の携帯電話５０の電話番号として電話番号ｂ１を受信する（ステップ５０１）。
【００７０】
一方、通信制御部４２から携帯電話は通話中でないという応答が返ってきた場合、通信管理部４４は、通信制御部４２へ第二の携帯電話５０の発信履歴及び着信履歴を要求する。通信制御部４２は、その要求を受信し、第一の携帯電話４０の内部から発信履歴及び着信履歴の情報を取得し、通信管理部４４へ発信履歴及び着信履歴の情報を返す。通信管理部４４は受信した発信履歴及び着信履歴の情報に含まれる電話番号の一覧を、第一の携帯電話４０の表示画面に表示する（ステップ５０２）。
【００７１】
ユーザＡが第一の携帯電話４０を操作することによって、表示された電話番号の中から、ユーザＢの携帯電話の電話番号である第二の携帯電話５０の電話番号ｂ１が選ばれる。通信管理部４４は、第二の携帯電話５０の電話番号ｂ１を受信する（ステップ５０３）。このように、ステップ５０１〜５０３の処理により、通信管理部４４は接続先である第二の携帯電話５０の電話番号ｂ１を取得する。
【００７２】
通信管理部４４は、近距離通信ＩＣ４６に、第一の携帯電話４０の電話番号ａ１と、第二の携帯電話５０の電話番号ｂ１を書き込む。第二の携帯電話５０も同様に、通信管理部５４によって、自己の端末である第二の携帯電話５０の電話番号ｂ１と、接続先の端末である第一の携帯電話４０の電話番号ａ１が、近距離通信ＩＣ５６に書き込まれる（ステップ５０４）。
【００７３】
次に、各電子会議端末２０，３０における、電子会議を開始するための処理について、図４を用いて説明する。図４は、各電子会議端末２０，３０における、各電子会議端末２０，３０を接続する処理の流れを示すフローチャートである。
【００７４】
ユーザＡが各電子会議端末２０を操作することによって、電子会議管理部２４に、電子会議開始通知が電子会議管理部２４に送信される。電子会議管理部２４は、電子会議開始通知を受信するとＩＣカードリーダライタ２２に読み出し要求通知を送信する（ステップ５１０）。
【００７５】
ＩＣカードリーダライタ２２は、読み出し要求通知を受信し、読み出し要求の状態で待機する。ユーザＡが第一の携帯電話４０をＩＣカードリーダライタ２２に接近させることによって、ＩＣカードリーダライタ２２は近距離通信ＩＣ４６の情報を読み取れる状態になった時、ＩＣカードリーダライタ２２は、近距離通信ＩＣ４６から第一の携帯電話４０の電話番号ａ１と第二の携帯電話５０の電話番号ｂ１を読み取る。そして、第一の携帯電話４０の電話番号ａ１と第二の携帯電話５０の電話番号ｂ１を、電子会議管理部２４へ送信する。電子会議管理部２４は、第一の携帯電話４０の電話番号ａ１と第二の携帯電話５０の電話番号ｂ１を受信する。第二の電子会議端末３０についても同様に、電子会議管理部３４は、第二の携帯電話５０の電話番号ｂ１と第一の携帯電話４０の電話番号ａ１を受信する。このように、ＩＣカードリーダライタ２２が、第二の携帯電話５０の移動体通信端末識別情報取得手段としての役割を有する（ステップ５１２）。
【００７６】
そして、各電子会議端末２０，３０が互いに接続され、電子会議が構成される（ステップ５１４）。
【００７７】
本実施の形態において、各電子会議管理部２４，３４を接続する方法は３つある。それらの方法について、図５〜図７のフローチャートを用いて説明する。尚、電子会議システム１０において選択される接続方法は、静的に設定されており、各電子会議端末２０，３０は、いつでも設定内容を取得できるものとする。
【００７８】
最初に、第一の接続方法を、図５を用いて説明する。図５は、各電子会議端末２０，３０が、接続順序に関係なく相手の会議端末へ接続を試みる方法に関するフローチャートである。
【００７９】
電子会議管理部２４は、ＩＣカードリーダライタ２２から、第一の携帯電話４０の電話番号ａ１と第二の携帯電話５０の電話番号ｂ１を受信すると、ＩＰネットワーク網９０を通じて、ディレクトリ管理部６２に、第一の携帯電話４０の電話番号ａ１と第一の電子会議端末２０のＩＰアドレスａをディレクトリデータベース６４に登録するように通知する。ディレクトリ管理部６２は、その通知を受信し、ディレクトリデータベース６４の携帯電話情報管理テーブル１０２へ、第一の携帯電話４０の電話番号ａ１、第一の電子会議端末２０のＩＰアドレスａを対応付けて登録する。このように、携帯電話情報管理テーブル１０２において、第一の携帯電話４０の電話番号ａ１と第一の電子会議端末２０のＩＰアドレスａは対応付けられる（ステップ５２０）。
【００８０】
引き続き、電子会議管理部２４は、ディレクトリ管理部６２に、第二の携帯電話５０の電話番号ｂ１に対応付けられているＩＰアドレスの取得要求通知を送信する。一方、電子会議管理部３４も、ディレクトリ管理部６２に第一の携帯電話４０の電話番号ａ１に対応付けられているＩＰアドレスの取得要求通知を送信している。電子会議管理部２４により実行される処理と電子会議管理部３４により実行される処理のうち、どちらが先に実行されるかは前もって知ることは出来ない。説明の便宜上、ここでは、電子会議管理部２４により実行される処理の方が、電子会議管理部３４により実行される処理より先に実行されるものとして説明を進める。
【００８１】
ディレクトリ管理部６２は、電子会議管理部２４から取得要求通知を受信し携帯電話情報管理テーブル１０２から、第二の携帯電話５０の電話番号ｂ１に対応するＩＰアドレスを検索する。第一の電子会議端末２０は第二の電子会議端末３０に先行して電子会議の接続処理を実行しているため、携帯電話情報管理テーブル１０２に、第二の携帯電話５０の電話番号ｂ１は登録されていない。そのため、検索されるＩＰアドレスの件数は０件である（ステップ５２２）。
【００８２】
電子会議管理部２４は、ディレクトリ管理部６２から検索結果を受信した後、電子会議制御部２６に、第一の電子会議端末２０は接続中であるか否かを問い合わせる。電子会議制御部２６は接続状態を確認しその結果を電子会議管理部２４へ返す。尚、この時点では、第二の電子会議端末３０が第一の電子会議端末２０へ接続していないため、通常であれば第一の電子会議端末２０は通話中ではない。しかし、まれに、第二の電子会議端末３０以外の電子会議端末から第一の電子会議端末２０に接続されて、通話中の場合がある（ステップ５２４）。
【００８３】
接続状態が通信中でない場合、電子会議管理部２４は、ＩＰアドレスを取得済みか否か判断する。電子会議管理部２４は、ステップ５２２において検索されたＩＰアドレスの件数が０件だったため、この時点で電子会議管理部２４はＩＰアドレスを取得していない。その場合、再度ステップ５２２の処理へ戻る（ステップ５３０）。このように、第二の電子会議端末３０に接続するまで、電子会議管理部２４は接続処理を繰り返す。
【００８４】
第一の電子会議端末２０に遅れて、第二の電子会議端末３０によって電子会議の接続処理が実行される。その処理について説明する。尚、第二の電子会議端末３０によって実行されるステップについて説明する場合、ステップ番号に「’」をつけるものとする。
【００８５】
電子会議管理部３４は、ＩＣカードリーダライタ３２から、第二の携帯電話５０の電話番号ｂ１と第一の携帯電話４０の電話番号ａ１を受信すると、ＩＰネットワーク網９０を通じて、ディレクトリ管理部６２に、第二の携帯電話５０の電話番号ｂ１と第二の電子会議端末３０のＩＰアドレスｂを登録するように通知する。ディレクトリ管理部６２は、その通知を受信し、ディレクトリデータベース６４の携帯電話情報管理テーブル１０２へ、第二の携帯電話５０の電話番号ｂ１、第二の電子会議端末３０のＩＰアドレスｂを登録する。このように、携帯電話情報管理テーブル１０２において、第二の携帯電話５０の電話番号ｂ１と第二の電子会議端末３０のＩＰアドレスｂが対応付けられる（ステップ５２０’）。
【００８６】
引き続き、電子会議管理部３４は、ディレクトリ管理部６２に、第一の携帯電話４０の電話番号ａ１に対応するＩＰアドレスを取得するように通知する。ディレクトリ管理部６２はその通知を受信し、携帯電話情報管理テーブル１０２から、第一の携帯電話４０の電話番号ａ１に対応するＩＰアドレスを検索する。この処理が実行されるより前に、ステップ５２０の処理が既に実行されており、第一の携帯電話４０の電話番号ａ１と第一の電子会議端末２０のＩＰアドレスａは、携帯電話情報管理テーブル１０２に既に登録されている。そのため、ディレクトリ管理部６２は、携帯電話情報管理テーブル１０２から第一の携帯電話４０の電話番号ａ１に対応するＩＰアドレスである第一の電子会議端末２０のＩＰアドレスａを電子会議管理部３４に返す（ステップ５２２’）。
【００８７】
ディレクトリ管理部６２から第一の電子会議端末２０のＩＰアドレスａを受信した後、電子会議管理部３４は、電子会議制御部３６に、第二の電子会議端末３０は通信中であるか否か問い合わせる。尚、ここでは、電子会議管理部３４は第二の電子会議端末３０は通信中でないという結果を受信したとする（ステップ５２４’）。
【００８８】
第二の電子会議端末３０は通信中でない場合、電子会議管理部３４は、ＩＰアドレスを取得済みか否か確認する。ステップ５２２’において、電子会議管理部３４は、第一の電子会議端末２０のＩＰアドレスａを取得している。そのため、次の処理へ移る（ステップ５３０’）。
【００８９】
電子会議管理部３４は、電子会議制御部３６に対し、取得した第一の電子会議端末２０のＩＰアドレスａを指定して、第一の電子会議端末２０に接続するように通知する。電子会議制御部３６は、その通知を受信し、第一の電子会議端末２０のＩＰアドレスａを指定してＩＰネットワーク網９０を介して第一の電子会議端末２０に接続する（ステップ５３２’）。
【００９０】
ステップ５３０において、第一の電子会議端末２０における処理が、再度ステップ５２２の処理へ戻った時点から、その後の処理について説明する。尚、この処理を説明する場合のステップ番号には、「’’」を付けるものとする。
【００９１】
電子会議管理部２４は、再度、ディレクトリ管理部６２に、第二の携帯電話５０の電話番号ｂ１に対応するＩＰアドレスを取得するように通知する。この時点で、携帯電話情報管理テーブル１０２には、第二の携帯電話５０の電話番号ｂ１と、第二の電子会議端末３０のＩＰアドレスｂは登録済みである。そのため、電子会議管理部２４は、第二の電子会議端末３０のＩＰアドレスｂを取得する。（ステップ５２２’’）
【００９２】
電子会議管理部２４は、電子会議制御部２６に、第一の電子会議端末２０は通信中であるか否か問い合わせる。尚、ここでは、電子会議管理部３４は第二の電子会議端末３０は通信中でないという結果を受信したとする（ステップ５２４’’）
【００９３】
第一の電子会議端末２０は通信中でない場合、電子会議管理部２４は、ＩＰアドレスを取得済みか否か確認する。ステップ５２２’’において、電子会議管理部２４は、第二の電子会議端末３０のＩＰアドレスｂを取得している。そのため、次の処理へ移る（ステップ５３０’’）。
【００９４】
電子会議管理部２４は、電子会議制御部２６に対し、取得した第一の電子会議端末３０のＩＰアドレスｂを指定して、第二の電子会議端末３０に接続するように通知する。電子会議制御部２６は、その通知を受信し、第二の電子会議端末３０のＩＰアドレスｂを指定してＩＰネットワーク網９０を介して第二の電子会議端末３０に接続する（ステップ５３２’’）。
【００９５】
ステップ５２４’’の処理において、電子会議管理部２４が、第一の電子会議端末２０は通信中であることを確認すると、通信中の電子会議端末のＩＰアドレスと、ステップ５２２’’の処理で得られたＩＰアドレスとを比較する。この場合、通信中の電子会議端末のＩＰアドレスはＩＰアドレスｂであり、ステップ５２２’’の処理で得られたＩＰアドレスも第二の電子会議端末３０のＩＰアドレスｂであり、一致している。電子会議管理部２４は、接続中の電子会議端末が、接続を予定したいた電子会議端末であると判断し、接続処理を終了する（ステップ５２６’’）。
【００９６】
第一の電子会議端末２０が第二の電子会議端末３０に接続されている場合、電子会議管理部２４は、ステップ５３０の処理を実行せずに、接続処理を終了する。そのため、電子会議管理部２４は、ステップ５２２〜５３０の接続処理の繰り返し処理から抜ける。尚、ステップ５２６において、接続中の電子会議端末のＩＰアドレスとステップ５２２の処理で得られたＩＰアドレスとが異なっている場合、電子会議管理部２４は、電子会議制御部２６へ通信を切断するように通知する。電子会議制御部２６はその通知を受けて、通信を切断する（ステップ５２８）。その後、ステップ５３０の処理へ移り、以後の処理が実行される。以上で、第一の接続方法に関する説明を終了する。
【００９７】
尚、説明の便宜上、電子会議管理部２４によって実行される処理の方が、電子会議管理部３４によって実行される処理より先に実行されるものとして説明したが、この順序を逆にしても、第一の電子会議端末２０と第二の電子会議端末３０は接続される。
【００９８】
この接続方法によれば、各電子会議端末２０，３０が、互いに相手の電子会議端末へ接続処理を実行するため、両方の電子会議端末２０，３０が接続可能になり次第、すぐに接続される。
【００９９】
次に、第二の接続方法を、図６を用いて説明する。図６は、各電子会議端末２０，３０のうち、ディレクトリデータベース６４に対し、先に情報を登録した電子会議端末は待機し、後から情報を登録した電子会議端末が、待機している電子会議端末へ接続する接続方法に関するフローチャートである。
【０１００】
電子会議管理部２４は、ＩＣカードリーダライタ２２から、携帯電話３０の電話番号と接続先第二の携帯電話５０の電話番号ｂ１を受信すると、ディレクトリ管理部６２に、第一の携帯電話４０と電子会議端末のＩＰアドレスの登録通知を送信する。一方、電子会議管理部３４も、ディレクトリ管理部６２に第一の携帯電話４０の電話番号ａ１に対応付けられているＩＰアドレスの登録通知を送信する。電子会議管理部２４により実行される処理と電子会議管理部３４により実行される処理のうち、どちらが先に実行されるかは前もって知ることは出来ない。そのため説明の便宜上、ここでは、電子会議管理部２４により実行される処理の方が先に実行されるものとして説明を進める。ディレクトリ管理部６２は、電子会議管理部２４から登録通知を受信すると、携帯電話情報管理テーブル１０２が、第二の電子会議端末の通知を受信して更新されないように、携帯電話情報管理テーブル１０２ロックを掛ける。その上で、ディレクトリ管理部６２は、ディレクトリデータベース６４の携帯電話情報管理テーブル１０２へ、第一の携帯電話４０の電話番号ａ１、第一の電子会議端末３４のＩＰアドレスを登録する（ステップ５４０）。
【０１０１】
次に、電子会議管理部２４は、ディレクトリ管理部６２に、第二の携帯電話５０の電話番号ｂ１に関連するＩＰアドレスの取得通知を送信する。ディレクトリ管理部６２は、その通知が第一の電子会議端末２０から送信された取得通知であることを確認し、携帯電話情報管理テーブル１０２から、第二の携帯電話５０の電話番号ｂ１に対応するＩＰアドレスを検索し、検索結果を電子会議管理部２４に返す。ディレクトリ管理部６２は、携帯電話情報管理テーブル１０２に対するロックを解除する。第一の電子会議端末２０は第二の電子会議端末３０に先行して電子会議の接続処理を実行しており、そのため携帯電話情報管理テーブル１０２に第二の携帯電話５０の情報は登録されていない。そのため、検索されるＩＰアドレスの件数は０件である。（ステップ５４２）。
【０１０２】
ステップ５４０およびステップ５４２の処理は、ディレクトリ管理部６２によって、データベース上アトミックな処理として実行される。つまり、ステップ５４０が開始してからステップ５４２が終了するまでの間に、携帯電話情報管理テーブル１０２の内容は、第二の電子端末３０によって書き換えられないことが保障される。また、ステップ５４２の処理が終了する前に異常が発生した場合、ステップ５４０以前の状態に戻されることが保障される。
【０１０３】
ステップ５４２が終了した時点で、第二の電子会議端末３０のＩＰアドレスｂがある場合、第二の電子会議端末３０が電子会議を構成するための接続処理を既に開始していたことを示し、無い場合、第二の電子会議端末３０はまだ電子会議を構成するための接続処理を実行していないことを示す。
【０１０４】
ステップ５４２の後、電子会議管理部２４は、ディレクトリ管理部６２から検索結果を受信し、ＩＰアドレスがあるか否か確認する（ステップ５４４）。
【０１０５】
ステップ５４２より、検索件数は０件であるため、この時点で電子会議管理部２４は、ＩＰアドレスを取得していない。その場合、電子会議管理部２４は第二の電子会議端末３０から接続されるまで待機する。このように、電子会議管理部２４は、他端末から接続されるのを待つ（ステップ５４８）。
【０１０６】
電子会議端末２０より遅れて、第二の電子会議端末３０によって電子会議の接続処理が実行さる。その処理について説明する。尚、第二の電子会議端末３０によって実行されるステップについて説明する場合、ステップ番号に「’」をつけるものとする。
【０１０７】
電子会議管理部３４は、ＩＣカードリーダライタ３２から、第二の携帯電話５０の電話番号ｂ１と第一の携帯電話３０の電話番号を受信すると、ディレクトリ管理部６２に、第二の携帯電話５０と第二の電子会議端末３４のＩＰアドレスを登録するように通知する。ディレクトリ管理部６２は、その通知を受信する。しかし、ディレクトリ管理部６２は、電子会議管理部２４の処理によって発生したステップ５４０〜ステップ５４０によって携帯電話情報管理テーブル１０２がロックされているため、携帯電話情報管理テーブル１０２を更新できない。そこで、ディレクトリ管理部６２は、携帯電話情報管理テーブル１０２のロックが解除されるまで待機する。
【０１０８】
ロックが解除されると、ディレクトリ管理部６２は、携帯電話情報管理テーブル１０２が更新されないように、ロックを掛ける。その上で、ディレクトリ管理部６２は、ディレクトリデータベース６４の携帯電話情報管理テーブル１０２へ、第二の携帯電話５０の電話番号ｂ１、第二の電子会議端末３４のＩＰアドレスを登録する（ステップ５４０’）。
【０１０９】
次に、電子会議管理部３４は、ディレクトリ管理部６２に、第一の携帯電話４０の電話番号ａ１に関連するＩＰアドレスを取得するように通知する。ディレクトリ管理部６２は、その通知が第二の電子会議端末３０から送信された通知であることを確認し、携帯電話情報管理テーブル１０２から、第一の携帯電話４０の電話番号ａ１に対応するＩＰアドレスを検索する。ステップ５４０の処理によって、携帯電話情報管理テーブル１０２に、第一の携帯電話の電話番号および第一の電子会議端末３４のＩＰアドレスは既に登録されている。そのため、ディレクトリ管理部６２は、第一の携帯電話の電話番号に関連する情報である第一の電子会議端末３４のＩＰアドレスａを取得し、電子会議管理部３４へ返す。その後ディレクトリ管理部６２は、携帯電話情報管理テーブル１０２に対するロックを解除する（ステップ５４２’）。
【０１１０】
電子会議管理部３４は、ディレクトリ管理部６２から検索結果を受信し、ＩＰアドレスがあるか否か確認する（ステップ５４４’）。
【０１１１】
ステップ５４２’の処理より、電子会議管理部３４は、ＩＰアドレスａを取得済みである。電子会議管理部３４は、電子会議制御部３６に対し、取得した第一の電子会議端末２０のＩＰアドレスａを指定して、第一の電子会議端末２０に接続するように通知する。電子会議制御部３６は、その通知を受信し、第一の電子会議端末２０のＩＰアドレスａによって第二の電子会議端末３０を特定し、第二の電子会議端末３０に接続する（ステップ５４６’）。この処理によって、第一の電子会議端末２０は第二の電子会議端末３０に接続される。以上で、第二の接続方法に関する説明を終了する。
【０１１２】
尚、説明の便宜上、電子会議管理部２４によって実行される処理の方が、電子会議管理部３４によって実行される処理より先に実行されるものとして説明したが、この順序を逆にしても、第一の電子会議端末２０と第二の電子会議端末３０は接続される。
【０１１３】
この接続方法によれば、両方の電子会議端末２０，３０が接続可能になり次第、すぐに接続される上に、先に接続処理を実行している第一の電子会議端末２０は、後から接続処理を実行している第二の電子会議端末３０から接続されるまで、無駄な接続処理を実行しないで済む。
【０１１４】
次に、第三の接続方法を、図７を用いて説明する。図７は、多地点接続装置８０を用いた場合の接続方法に関するフローチャートである。上述した二つの方法は、一方の電子会議端末が他方の電子会議端末へ直接接続する方法であるのに対し、この接続方法は、各電子会議端末２０，３０が多地点接続装置８０を経由して接続される方法である。
【０１１５】
電子会議管理部２４は、ＩＣカードリーダライタ２２から、携帯電話３０の電話番号と接続先第二の携帯電話５０の電話番号ｂ１を受信すると、ＩＰネットワーク網９０を通じて、ディレクトリ管理部６２に、多地点接続管理テーブル１０６から、第一の携帯電話４０の電話番号ａ１に対応する情報の取得要求通知を送信する。一方、電子会議管理部３４も、ディレクトリ管理部６２に第一の携帯電話４０の電話番号ａ１に対応する情報の取得要求通知を送信する。電子会議管理部２４により実行される処理と電子会議管理部３４により実行される処理のうち、どちらが先に実行されるかは前もって知ることは出来ない。説明の便宜上、ここでは、電子会議管理部２４により実行される処理の方が、電子会議管理部３４により実行される処理より先に実行されるものとして説明を進める。
【０１１６】
ディレクトリ管理部６２は、電子会議管理部２４から取得要求通知を受信すると、多地点接続管理テーブル１０６が、第二の電子会議端末３０によって更新されないようにロックを掛ける。その上で、多地点接続管理テーブル１０６から、第一の携帯電話４０の電話番号ａ１に対応する情報を検索し、検索結果を電子会議管理部２４に返す（ステップ５６０）。
【０１１７】
第一の電子会議端末２０は第二の電子会議端末３０に先行して電子会議の接続処理を実行しており、そのため多地点接続管理テーブル１０６に、第一の携帯電話４０の電話番号ａ１は登録されていない。
【０１１８】
ディレクトリ管理部６２は、多地点接続グループ管理テーブル１０８から、多地点接続装置の８０のＩＰアドレスであるＭＣＵアドレスｃであり且つ使用中フラグが０（未使用）の条件を満たすグループを検索する。その結果、グループｃ−ｇ１が得られたとする。ディレクトリ管理部６２は、多地点接続グループ管理テーブル１０８に対して、ＭＣＵアドレスｃ、グループｃ−ｇ１に対応する使用中フラグを１（使用済み）とする。このようにして、ＭＣＵアドレスｃ、グループｃ−ｇ１を取得する。
【０１１９】
ディレクトリ管理部６２は、第一の携帯電話４０の電話番号ａ１、第一の電子会議端末２０のＩＰアドレスａ、ＭＣＵアドレスｃ、グループｃ−ｇ１を多地点接続管理テーブル１０６に登録する。また、第二の携帯電話５０の電話番号ｂ１、ＭＣＵアドレスｃ、グループｃ−ｇ１を登録する。ただし、第二の携帯電話５０の電話番号ｂ１に対応するＩＰアドレスはダミーのＩＰアドレスとする。この時、第一の電子会議端末２０は、第二の携帯電話５０の電話番号ｂ１に対応するＩＰアドレスを特定できないためである。尚、ダミーのＩＰアドレスとは、形式はＩＰアドレスの形式をしているが、端末を識別するための意味のある情報を有していないＩＰアドレスを指す。このように、先に多地点接続装置８０に接続した電子会議端末２０が、第一の携帯電話４０の電話番号ａ１（自己の端末）と共に、第二の携帯電話５０の電話番号ｂ１（接続相手の端末）を、同じ識別子（ＭＣＵアドレスｃ、グループｃ−ｇ１）を使用して、多地点接続管理テーブル１０６に登録する。その後、ディレクトリ管理部６２は、多地点接続管理テーブル１０６に対するロックを解除する（ステップ５６２）。
【０１２０】
ディレクトリ管理部６２は、第一の携帯電話４０の電話番号ａ１に対応するＭＣＵアドレスｃを、電子会議管理部２４へ返す（ステップ５６８）。
【０１２１】
電子会議管理部２４は、ＭＣＵアドレスｃを受信し、電子会議制御部２６に対し、取得したＭＣＵアドレスｃを指定して、多地点接続装置８０に接続するように通知する。電子会議制御部３６は、その通知を受信し、ＭＣＵアドレスｃに基づいて多地点接続装置８０に接続する（ステップ５７０）。
【０１２２】
先行して処理を実行している第一の電子会議端末２０に遅れて、第二の電子会議端末３０による電子会議の接続処理が行なわれる。その処理について説明する。尚、第二の電子会議端末３０によって実行されるステップについて説明する場合、ステップ番号に「’」をつけるものとする。
【０１２３】
電子会議管理部３４は、ディレクトリ管理部６２に、多地点接続管理テーブル１０６から、第二の携帯電話５０の電話番号ｂ１に対応する情報を取得するように通知する。しかし、ステップ５６０、ステップ５６２の処理により多地点接続管理テーブル１０６がロックされている。この場合、ディレクトリ管理部６２は待機する。多地点接続管理テーブル１０６のロックが解除されると、ディレクトリ管理部６２は、多地点接続管理テーブル１０６から、第二の携帯電話５０の電話番号ｂ１の情報を検索する。この時点では、ステップ５６２の処理が既に実行されており、多地点接続管理テーブル１０６に、第二の携帯電話５０の電話番号ｂ１にダミーのＩＰアドレスが登録されている。その結果、ディレクトリ管理部６２は、ダミーのＩＰアドレスを電子会議管理部３４に返す。電子会議管理部３４は、その検索結果を受信する（ステップ５７０’）。
【０１２４】
電子会議管理部３４は、検索結果が１件ある場合、検索結果に含まれるＩＰアドレスがダミーのＩＰアドレスか否か確認する（ステップ５６４’）。
【０１２５】
電子会議管理部３４は、ステップ５７０’でダミーのＩＰアドレスを取得している。その場合、電子会議管理部３４は、ディレクトリ管理部６２に、第二の携帯電話５０の電話番号ｂ１をキーにして、ＩＰアドレスの情報を第二の電子会議端末３０のＩＰアドレスｂに更新させる。一方、取得しているＩＰアドレスがダミーのＩＰアドレスでない場合は次の処理へ移る（ステップ５６６’）。
【０１２６】
その後、電子会議管理部３４は、ディレクトリ管理部６２に、多地点接続管理テーブル１０６から、第二の携帯電話５０の電話番号ｂ１に対応する情報を取得するように通知する。ディレクトリ管理部６２はその通知を受信し、多地点接続管理テーブル１０６から、第二の携帯電話５０の電話番号ｂ１に対応する情報であるＭＣＵアドレスｃ、グループｃ−ｇ１を取得する。ディレクトリ管理部６２は、その情報を電子会議管理部３４へ返す（ステップ５６８’）。
【０１２７】
電子会議管理部３４は、取得したＭＣＵアドレスｃを指定して、電子会議制御部３６に多地点接続装置８０に接続するように通知する。電子会議制御部３６は、その通知を受信し、ＭＣＵアドレスｃによって多地点接続装置８０を特定し、多地点接続装置８０に接続する（ステップ５７０’）。
【０１２８】
多地点接続装置８０は、第二の電子会議端末３０から接続されると、第二の電子会議端末３０のＩＰアドレスｂを取得する。そして、ディレクトリ管理部６２に、第二の電子会議端末３０のＩＰアドレスｂに対応しているＭＣＵアドレスとグループを要求する。その結果、ＭＣＵアドレスｃ１とグループｃ−ｇ１が得られる。
【０１２９】
次に、多地点接続装置８０は、ディレクトリ管理部６２に、ＭＣＵアドレスｃ１とグループｃ−ｇ１の組み合わせに対応しているＩＰアドレスを取得するように通知する。この時点で、多地点接続管理テーブル１０６には、第一の電子会議端末２０のＩＰアドレスａと第二の電子会議端末３０のＩＰアドレスｂが登録されているので、ディレクトリ管理部６２は、第二の電子会議端末３０のＩＰアドレスｂと、第一の電子会議端末２０のＩＰアドレスａを取得し、多地点接続装置８０に返す。多地点接続装置８０は、第二の電子会議端末３０のＩＰアドレスｂと、電子会議管理部２０のＩＰアドレスａは、同一のＭＣＵアドレスｃ１及びグループｃ−ｇ１に対応していたため、両方のＩＰアドレスは、同じ電子会議の構成メンバーの電子会議端末のＩＰアドレスであると判断する。そこで、多地点接続装置８０は、第一の電子会議端末２０と第二の電子会議管理部３０を接続する。このようにして、各電子会議端末２０，３０が、多地点接続装置８０を経由して接続される。
【０１３０】
以上で、第一の携帯電話４０と第二の携帯電話５０とが接続されている状態から、第一の電子会議端末２０と第二の電子会議端末３０とが接続されるまでの切り替え処理について、説明を終了する。
【０１３１】
尚、説明の便宜上、電子会議管理部２４によって実行される処理の方が、電子会議管理部３４によって実行される処理より先に実行されるものとして説明したが、この順序を逆にしても、第一の電子会議端末２０と第二の電子会議端末３０は接続される。
【０１３２】
以上説明したように、本実施の形態１によれば、第一の電子会議端末２０は、第一の携帯電話４０が保持している第二の携帯電話５０の電話番号によって、サーバー６０から、第二の電子会議端末３０に接続するための情報を取得出来る。これにより、第二の携帯電話５０から第一の携帯電話４０へ、第二の電子会議端末３０の情報通信端末識別情報を送信しなくても、第一の電子会議端末２０は第二の電子会議端末３０に接続出来る。
【０１３３】
（実施の形態２）
実施の形態２では、各電子会議端末２０，３０が相互に接続されており、ユーザＡとユーザＢが電子会議を行なっている状態から、ユーザＡが第一の電子会議端末２０を利用するのを終了し、第一の携帯電話４０から第二の電子会議端末３０へ接続し、情報を交換する場合について説明する。
【０１３４】
このような状況は、例えば、ユーザＡが第一の電子会議端末２０を利用して、ユーザＢが第二の電子会議端末３０を利用して電子会議を行なっている状態であって、ユーザＡが第一の電子会議端末２０を使用できる時間以内に電子会議が終了せず、ユーザＡが第一の電子会議端末２０から離れ、引き続き、第一の携帯電話４０から電子会議に参加する場合に発生する。
【０１３５】
各電子会議端末２０，３０が相互に接続されている状態から、ユーザＡが第一の電子会議端末２０を利用するのを終了し、ユーザＡが第一の携帯電話４０を用いて第二の電子会議端末３０へ接続し、電子会議に参加する場合について図８を用いて説明する。
【０１３６】
図８は、第一の電子会議端末２０が第二の電子会議端末３０に接続されている状態から、第一の電子会議端末２０が第二の電子会議端末３０への接続を切断し、第一の携帯電話４０へ、ユーザＡが電子会議に接続するために必要な接続先の情報を送信するまでの第一の電子会議端末２０による処理の流れを示すフローチャートである。
【０１３７】
この処理は、ユーザＡが第一の電子会議端末２０を操作することによって、開始される。ユーザＡの操作によって、ユーザＡが第一の携帯電話４０によって電子会議へ参加することが電子会議管理部２４へ通知される。この時、電子会議管理部２４へ通知されるメッセージを、携帯電話移行通知とする。
【０１３８】
電子会議管理部２４は携帯電話移行通知を受信すると、電子会議制御部２６へ、第二の電子会議端末３０との接続を切断する通知を送信する。電子会議制御部２６はその通知を受信し、第二の電子会議端末３０の電子会議制御部３６へ、切断予告通知を送信する。電子会議制御部３６は切断予告通知を受信し、電子会議管理部３４へ切断予告受信通知を送信する。電子会議管理部３４は切断予告受信通知を受信する。電子会議制御部２６は、接続中の第二の電子会議端末３０に、接続を切断することを通知する切断通知手段としての役割を有する。（ステップ５７２）。
【０１３９】
その後、電子会議管理部２４は、第一の携帯電話４０の接続先を特定する接続先の電話番号ｘ１を取得する。電子会議管理部２４は，電子会議管理部２４の接続先電話番号ｘ１を取得する接続先情報取得手段としての役割を有する。尚、この接続先の電話番号ｘ１の決定方法の詳細については追って説明する（ステップ５７４）。
【０１４０】
電子会議管理部２４は、接続先の電話番号ｘ１を取得した後、ＩＣカードリーダライタ２２に対して書き込み要求を出す。その要求を受けて、ＩＣカードリーダライタ２２は書き込み要求の状態で待機する（ステップ５７６）。そして、第一の携帯電話４０がＩＣカードリーダライタ２２の付近に来た時に、ＩＣカードリーダライタ２２は、第一の携帯電話４０に内蔵されている近距離通信ＩＣ４６に接続先の電話番号を書き込む。このように、ＩＣカードリーダライタ２２は第一の携帯電話４０に接続先の電話番号ｘ１を送信する、端末接続先情報送信手段としての役割を有する。（ステップ５７７）。
【０１４１】
ＩＣカードリーダライタ２２は、近距離通信ＩＣ４６に接続先の電話番号の書き込みが完了すると、電子会議管理部２４に書き込み処理が完了したことを電子会議管理部２４に通知する。電子会議管理部２４は、その通知を受信した後、ディレクトリ管理部６２へ、ディレクトリデータベース上から第一の携帯電話４０の電話番号ａ１に対応する情報を削除するように通知する。ディレクトリ管理部６２は、その通知を受け、電子会議端末情報管理テーブル１０４から、第一の携帯電話４０の電話番号ａ１に対応する情報を削除する（ステップ５７８）。
【０１４２】
続いて接続先の電話番号ｘ１の決定方法の詳細について図９のフローチャートを用いて説明する。図９は、第一の電子会議端末２０を利用した電子会議の参加を終了し、第一の携帯電話４０による電子会議の参加へ切り替える場合の、第一の携帯電話４０の接続先の電話番号ｘ１を決定する手順を示すフローチャートである。
【０１４３】
ステップ５７２の処理の後、電子会議管理部２４から接続終了予告通知を受信した電子会議管理部３４は、第二の電子会議端末３０の表示画面に、第一の電子会議端末２０が携帯電話移行通知を受信したことを表示する。それと共に、第二の電子会議端末３０による接続を終了して第二の携帯電話５０によって電子会議へ参加するか、第二の電子会議端末３０よる接続を継続するかを表示し、ユーザＢの選択を促す。
【０１４４】
ユーザＢが、第二の電子会議端末３０を操作し、いずれか一方を選択すると、第二の電子会議端末３０の電子会議管理部３４は、第一の電子会議端末２０の電子会議管理部２４へユーザＢの選択した結果を含む、接続終了予告応答通知通知を送信する。
【０１４５】
電子会議管理部２４は、ユーザＢの接続終了予告応答通知通知を受信し、ユーザＢの選択した結果を調べる（ステップ５８０）。
【０１４６】
ユーザＢの選択した結果が「第二の電子会議端末３０による接続を継続する」の場合、電子会議管理部２４は、電子会議を構成したときの第一の電子会議端末２０と第二の電子会議端末３０の接続方法について確認する。これは、各電子会議端末２０，３０に静的に設定されている情報であるため、その設定内容を取得する（ステップ５８２）。
【０１４７】
接続方法が、第一の接続方法または第二の接続方法のように、第一の電子会議端末２０と第二の電子会議端末３０とを直接接続する方法の場合、電子会議管理部２４は、ディレクトリ管理部６２に、第二の電子会議端末３０のＩＰアドレスｂに対応する第二の電子会議端末３０の電話番号を取得するように通知する。ディレクトリ管理部６２は、その通知を受信し、電子会議端末情報管理テーブル１０４を検索し、第二の電子会議端末３０のＩＰアドレスｂに関連付けられた第二の電子会議端末３０の電話番号ｂ−１を、電子会議管理部２４へ返す。この第二の電子会議端末３０の電話番号ｂ−１が、接続先の電話番号ｘ１となる（ステップ５８４）。
【０１４８】
一方、接続方法が、第三の接続方法のように、多地点接続装置８０を経由した接続方法の場合、電子会議管理部２４は、ディレクトリ管理部６２に、多地点接続装置８０のＩＰアドレスに対応する多地点接続装置８０のＩＰアドレスの電話番号を取得するように通知する。ディレクトリ管理部６２は、その通知を受信し、電子会議端末情報管理テーブル１０４を検索し、多地点接続装置８０のＩＰアドレスに対応する多地点接続装置８０の電話番号ｃ−１を電子会議管理部２４へ返す。この多地点接続装置８０の電話番号ｃ−１が、接続先の電話番号ｘ１となる（ステップ５８６）。
【０１４９】
一方、ステップ５８０でユーザＢの選択した結果が「第二の携帯電話５０によって電子会議へ参加する」の場合、電子会議管理部２４は、ディレクトリ管理部６２に、第二の電子会議端末３０のＩＰアドレスｂに対応する電話番号を取得するように通知する。ディレクトリ管理部６２は、その通知を受けて、携帯電話情報管理テーブル１０２を検索し、第二の電子会議端末３０のＩＰアドレスｂに対応する第二の携帯電話５０の電話番号ｂ１を電子会議管理部２４へ返す。この第二の携帯電話５０の電話番号ｂ１が、接続先の電話番号ｘ１となる（ステップ５８３）。このように、第一の電子会議端末２０の内部で接続先の電話番号ｘ１が決定される。
【０１５０】
以上で、電子会議端末２０からの接続を切断し、第一の携帯電話４０を用いて電子会議に接続する場合の電子会議端末２０で実行される処理についての説明を終了する。
【０１５１】
次に、第一の携帯電話４０の動作について説明する。
【０１５２】
ステップ５７６の後で、ユーザＡが第一の電子会議端末２０のＩＣカードリーダライタ２２に第一の携帯電話４０を接近させると、ＩＣカードリーダライタ２２が近距離通信ＩＣ４６に、接続先の電話番号ｘ１を書き込む。
【０１５３】
その後、ユーザＡが第一の携帯電話４０を操作することによって、通信管理部４４に、ユーザＡは第一の携帯電話４０を用いて電子会議に接続することが通知される。通信管理部４４は、この通知を受信すると、近距離通信ＩＣ４６から接続先の電話番号ｘ１を取得する。続いて、通信管理部４４は、通信制御部に、取得した接続先の電話番号ｘ１を指定して、発信処理を実行させる。このように、第一の携帯電話４０は、接続先の電話番号ｘ１によって特定された通信端末に接続される。尚、本実施の形態においては、接続先の電話番号ｘ１で特定される通信端末は、第二の携帯電話５０、第二の電子会議端末３０または多地点接続装置８０のいずれかである。
【０１５４】
以上説明したように、本実施の形態２によれば、各電子会議端末２０，３０が接続されている状態から、第一の電子会議端末２０による接続を終了し、第一の携帯電話４０を用いて電子会議に参加する場合に、第一の携帯電話４０は、接続先の通信端末の電話番号を取得出来る。そのため、第一の携帯電話４０を用いて電子会議に参加することが出来る。
【０１５５】
本実施の形態では、各電子会議端末２０，３０のＩＰアドレス、各携帯電話４０，５０の電話番号の接続情報を管理する端末識別情報管理手段における記憶保持部として、データベースを利用している。上記の接続情報を記憶する手段は、通信端末の識別情報を記憶する出来るものであればよい。例えば、サーバー６０に内蔵されたメモリなどの一次記憶装置や、テキストファイルであっても良い。
【０１５６】
本実施の形態１において、ディレクトリデータベース６４の内容は、電子会議端末を使用する際に登録され、電子会議端末から離れる際に削除される。しかし、ディレクトリデータベース６４の内容は、予め入力され、そのまま維持されても良い。例えば、各電子会議端末２０，３０を使用するユーザ（各携帯電話４０，５０）が固定されている場合、入力されたディレクトリデータベース６４の内容が固定されていても、一方の電子会議端末が、接続相手の電子会議端末の情報通信端末識別情報を取得し、接続相手の電子会議端末に接続することは可能である。
【０１５７】
本実施の形態では、移動体通信端末として携帯電話２０を利用しているが、持ち運び可能な通信端末であれば、携帯電話に限られない。電子会議端末２０から離れても通信可能な通信端末であれば良い。
【０１５８】
また、本実施の形態では、第一の携帯電話４０から電話網９２を介して第二の電子会議端末３０へ接続しているが、電話網９２を介さずに、第二の電子会議端末３０へ接続しても良い。例えば、パケット電話のように、ＩＰネットワーク網を介して、第一の携帯電話４０から第二の電子会議端末３０へ接続しても良い。
【０１５９】
本実施の形態１では、第一の電子会議端末２０に対応する携帯電話は、第一の携帯電話４０の一台のみであったが、これを複数とすることも可能である。即ち、既に第一の電子会議端末２０と第二の電子会議端末３０が接続されている状態において、第一の電子会議端末２０に対応付けられる携帯電話を順次追加することが可能である。
【０１６０】
本実施の形態２において、第一の電子会議端末２０に対応する携帯電話が複数台ある状態、即ち参加者が第一の電子会議端末２０を使用している参加者が複数いる状態から、一人が第一の電子会議端末２０から離れ第一の携帯電話４０を用いて電子会議に参加する場合であっても、第一の電子会議端末２０は第一の携帯電話４０が接続するべき接続先の電話番号を第一の携帯電話４０へ送信することが可能である。
【図面の簡単な説明】
【０１６１】
【図１】本発明の実施の形態における電子会議システムの構成図である。
【図２】本発明の実施の形態におけるディレクトリデータベースに登録されているテーブルである。
【図３】本発明の実施の形態における、携帯電話の通信管理部における処理の流れを示すフローチャートである。
【図４】本発明の実施の形態における、電子会議の接続処理の流れを示すフローチャートである。
【図５】本発明の実施の形態における、第一の接続方法による電子会議の接続処理の流れを示すフローチャートである。
【図６】本発明の実施の形態における、第二の接続方法による電子会議の接続処理の流れを示すフローチャートである。
【図７】本発明の実施の形態における、第三の接続方法による電子会議の接続処理の流れを示すフローチャートである。
【図８】本発明の実施の形態における、電子会議端末同士で電子会議を構成している状態から、携帯電話を用いて電子会議へ参加するように切り替える場合の、電子会議端末における処理の流れを示すフローチャートである。
【図９】本発明の実施の形態における、携帯電話を用いて電子会議へ参加する場合の、接続先を決定するための処理の流れを示すフローチャートである。
【図１０】従来の、情報通信端末と音声通信端末を備えた接続切り替え方法を説明するための構成図である。
【符号の説明】
【０１６２】
１０  電子会議システム、２０，３０  電子会議端末、２２，３２  ＩＣカードリーダライタ、２４，３４  電子会議管理部、２６，３６  電子会議制御部、４０，５０  携帯電話、４２，５２  通信制御部、４４，５４  通信管理部、４６，５６  近距離通信ＩＣ、６０  サーバー、６２  ディレクトリ管理部、６４  ディレクトリデータベース、８０  多地点接続装置、１０２  携帯電話情報管理テーブル、１０４  電子会議端末情報管理テーブル、１０６  多地点接続管理テーブル、１０８  多地点接続グループ管理テーブル、１１０  第一の電話、１４０  第一の装置、１３０  第一の周辺機器接続手段、１４２  第二の装置、１３２  第二の周辺機器接続手段。
【図１】
2006311011.tif 000003
【図２】
2006311011.tif 000004
【図３】
2006311011.tif 000005
【図４】
2006311011.tif 000006
【図５】
2006311011.tif 000007
【図６】
2006311011.tif 000008
【図７】
2006311011.tif 000009
【図８】
2006311011.tif 000010
【図９】
2006311011.tif 000011
【図１０】
2006311011.tif 000012